(57)【要約】【課題】安価に防犯性を高めた料金精算機の設置構造を提供する。【解決手段】基礎部１にベース部材４を固定し、該ベース部材４上に料金精算機５を固定して設置する料金精算機の設置構造において、前記ベース部材４側から料金精算機５側へ延ばした補強部材７を料金精算機５の互いに対面する二対の側面部の少なくとも一方に設け、この一方の側面部に固定する構成とした。これにより、料金精算機５とベース部材４との固定部１１を補強することができる。【選択図】      図１
2005018455.tif 000002
【特許請求の範囲】
【請求項１】
基礎部にベース部材を固定し、該ベース部材上に料金精算機を固定して設置する料金精算機の設置構造において、
前記ベース部材側から料金精算機側へ延ばした補強部材を料金精算機の互いに対面する二対の側面部の少なくとも一方に設け、この一方の側面部に固定する構成としたことを特徴とする料金精算機の設置構造。
【請求項２】
前記補強部材は、前記料金精算機の固定する前記側面部の両端部よりはみ出す形状としたことを特徴とする請求項１に記載の料金精算機の設置構造。
【請求項３】
前記補強部材は、略コ字状に形成され、基礎部とベース部材との間に固定される底板部と、該底板部の両側から前記料金精算機側へ延びる側板部とを備えることを特徴とする請求項１または２に記載の料金精算機の設置構造。
【請求項４】
前記補強部材を前記ベース部材の側面部分に一体的に形成したことを特徴とする請求項１または２に記載の料金精算機の設置構造。
【発明の詳細な説明】
【０００１】
【発明の属する技術分野】
本発明は、駐車場等の利用料金を精算処理する料金精算機の設置構造に関し、特に、安価に防犯性を高めた料金精算機の設置構造に関する。
【０００２】
【従来の技術】
従来の料金精算機には、駐車場の駐車料金を精算するものや自動販売機または券売機等があり、屋外に設置されたものが多い。そのため、車両などで料金精算機を引き倒して料金精算機の開放された底面部から手を差し入れて貨幣収容部から現金を抜き取る盗難事件が横行している。
【０００３】
この種の料金精算機の設置構造には、一般に、図５に示すようにコンクリートで形成した基礎部１にアンカー２及びナット３で固定した箱型形状の鋼製のベース部材４上に、料金精算機５を設置してボルト６及びナット３で締結したものがある。
【０００４】
また、防犯性を高めたものとしては、基礎部上に取り付けられた鋼製のベース部材の上面に料金精算機を固定し、同じく基礎部上に取り付けられた鋼製のプロテクタベース上面に料金精算機の周囲及び上面を覆ってプロテクタを固定したものがある（例えば、特許文献１参照）。
【０００５】
【特許文献１】
特開２００３−８５６０６号公報
【０００６】
【発明が解決しようとする課題】
しかし、このような従来の料金精算機においては、例えば前者の場合は、ベース部材４と料金精算機５とを単にボルト６及びナット３で固定するだけであるため、車両で引き倒そうとしたときに、ボルト６に対して引き抜き方向の力が作用してボルト６とナット３の締結部分が容易に破損し、料金精算機５がベース部材４から分離して倒されることが多かった。したがって、上述のように倒れた料金精算機５の開放された底面部から現金を抜き取る盗難事件を防止することが困難であった。
【０００７】
これに対して後者は、料金精算機を覆ってプロテクタを設けたことにより上述のような盗難事件は抑制されるが、プロテクタが高価であり、また料金精算機の設置工事の他にプロテクタの設置工事が必要となり、工事が煩雑となっていた。
【０００８】
そこで、本発明は上記問題点に着目してなされたもので、安価に防犯性を高めた料金精算機の設置構造を提供することを目的とする。
【０００９】
【課題を解決するための手段】
このために、請求項１の発明は、基礎部にベース部材を固定し、該ベース部材上に料金精算機を固定して設置する料金精算機の設置構造において、前記ベース部材側から料金精算機側へ延ばした補強部材を料金精算機の互いに対面する二対の側面部の少なくとも一方に設け、この一方の側面部を料金精算機に固定する構成とした。
【００１０】
このような構成により、基礎部上に固定されたベース部材側から料金精算機側へ延ばした補強部材を料金精算機の互いに対面する二対の側面部の少なくとも一方に固定し、ベース部材と料金精算機との固定部を補強する。これにより、料金精算機がベース部材と分離して引き倒されるのを防止し、防犯性を向上する。
【００１１】
この場合、前記補強部材は、請求項２のように前記料金精算機の固定する前記側面部の両端部よりはみ出す形状とするとよい。また、請求項３のように略コ字状に形成され、基礎部とベース部材との間に固定される底板部と、該底板部の両側から前記料金精算機側へ延びる側板部とを備えてもよい。そして、請求項４のように前記補強部材を前記ベース部材の側面部分に一体的に形成してもよい。
【００１２】
【発明の実施の形態】
以下、本発明の実施の形態を添付図面に基づいて詳細に説明する。なお、図５と同一の要素については、同一符号を用いて示す。
図１は、本発明に係る料金精算機の設置構造の実施形態を示す正面図である。また、図２は、図１の側面図である。なお、ここでは、屋外の駐車場に設置された駐車料金の料金精算機の設置構造を例に説明する。
【００１３】
図１において、本実施形態の料金精算機の設置構造は、地面にコンクリートで形成された基礎部１と、料金精算機５を載置するベース部材４と、料金精算機５及びベース部材４の固定部１１を補強する補強部材７とを備えて構成する。
【００１４】
上記料金精算機５は、駐車料金の精算処理をするものであり、前面扉部８に料金支払操作部９と釣銭や領収書の受取部１０とを備えており、鋼製の縦に長い箱状に形成されている。
【００１５】
また、ベース部材４は、料金精算機５を載置して保持するものであり、所望の高さを有する箱状に形成された鋼製部材である。そして、図３に示すようにベース部材４の上面４ａと料金精算機５の底面５ａとをボルト６及びナット３で締結している。なお、この場合、固定部１１の周囲を溶接してもよい。
【００１６】
そして、上記補強部材７は、上記料金精算機５とベース部材４の固定部１１を補強するものであり、図３に示すように略コ字状に形成され、基礎部１とベース部材４との間に固定される底板部７ａと、この底板部７ａの両側から固定部１１の上方まで延びる側板部７ｂとを備えており、この側板部７ｂを料金精算機５の互いに対面する二対の側面部の一方で、例えば左右の側面部５ｂ，５ｃに締結ボルト１２及びナット１３で固定している。また、底板部７ａはベース部材４と共にアンカー２及びナット３で基礎部１に固定される。なお、側板部７ｂを料金精算機５の前後の側面部である前面５ｄと背面５ｅ側に設けてもよい。
【００１７】
上記締結ボルト１２は、例えば側板部７ｂに設けた角状の孔部１４に係止する同一形状の係止部１２ａを形成しており、料金精算機５の内部からナット１３で締結するようにしている。また、頭部１２ｂは、球面状に形成して外部から締結ボルト１２を緩める操作ができないようにしている。
【００１８】
また、補強部材７は、図２に示すように料金精算機５の前面５ｄ及び背面５ｅよりはみ出す形状とし、料金精算機５の設置安定性を増して引き倒し難くしている。
【００１９】
さらに、補強部材７の底板部７ａには、図３に示すように料金精算機５を駆動制御するのに用いる電気及び通信ケーブルを挿通するのに必要な大きさの貫通孔１５を設けている。この貫通孔１５を、従来のように料金精算機５の底面部５ａに開放された孔よりも小さく形成して料金精算機５が引き倒された場合にも貫通孔１５から手を差し込み難くしている。
【００２０】
次に、このように構成された料金精算機の設置方法を説明する。
先ず、図３に示すように補強部材７の底板部７ａに形成した貫通孔１７に基礎部１上に植設されたアンカー２を通して設置する。さらに、ベース部材４を、その底面部に設けた貫通孔１６に上記アンカー２を通して補強部材７上に設置する。次に、ベース部材４の上面４ａ側からナット３によりアンカー２を締結して補強部材７とベース部材４とを一体的に基礎部１に固定する。
【００２１】
次に、ベース部材４上に料金精算機５を載置してベース部材４の上面４ａと料金精算機５の底面５ａとをボルト６とナット３とで締結して一体化する。さらに、補強部材７の側板部７ｂに設けた孔部１４に締結ボルト１２を差し込み、料金精算機５の内部からナット１３により締結して補強部材７の側板部７ｂを料金精算機５の左右側面部５ｂ，５ｃに固定する。
【００２２】
このような設置構造とすることにより、例えば、料金精算機にロープをかけ車両で引き倒そうとした場合には、料金精算機５とベース部材４との固定部１１を補強する補強部材７に引張り応力が作用する。ところが一般に、鋼板は引張り応力に対する強度が強いため補強部材７の側板部７ｂが破壊されることはない。また、補強部材７を料金精算機５に固定している締結ボルト１２には、引き抜き方向の力ではなく剪断応力を発生させる方向に力が作用するため、この締結ボルト１２とナット１３との締結部分が破損し難い。したがって、料金精算機５は引き倒そうとする力に対しても、従来のようにベース部材４から分離して倒されるようなことはない。
【００２３】
このように、料金精算機５とベース部材４との固定部１１が補強部材７により補強されているため、仮に料金精算機５を引き倒す程の強い外力が作用したとしても、料金精算機５はベース部材４との固定部１１部分ではなく、基礎部１からアンカー２を引き抜くようにして倒れるようになる。この場合、補強部材７の底面部７ａには電気や通信ケーブルを通すのに必要なの大きさの孔部１５が空いているだけであり、従来のように大きく開放された孔部ではないので、この孔部１５から手を差し入れて料金精算機５の貨幣収容部より現金を抜き取ることは困難である。したがって、例え料金精算機５が倒された場合にも現金の盗難が防止される。
【００２４】
このように、本発明の料金精算機の設置構造によれば、ベース部材４側から料金精算機５側へ延びる補強部材７を料金精算機５の左右側面部５ｂ，５ｃに固定しているので料金精算機５とベース部材４との固定部１１分の強度が増し、料金精算機５に対して転倒させる方向の強い外力が作用しても料金精算機５がベース部材７から分離して転倒することがなく、現金の盗難を防止することができる。
【００２５】
また、補強部材７は、料金精算機５の前面５ｄ及び背面５ｅよりはみ出す形状としているため、料金精算機５の基礎部１への設置安定性が増し、外力に対して転倒し難くなる。
【００２６】
そして、簡単な構造の補強部材７を取り付けるだけでよいので、従来の料金精算機の上面及び両側面を覆うプロテクタを取り付ける場合に比べて、設置費用が格段に安価となり、設置工事も簡単で工事費を低減することができる。
【００２７】
なお、補強部材７は、四側面に側板部を設けたものであっても、三側面に側板部を設けたものであってもよい。この場合、四側面に側板部を設けたときには、料金精算機５の扉部８は、補強部材７の上端部よりも上方に配置して設けられる。また、三側面に側板部を設けたときには、側板部のない開放部を料金精算機の前面５ｄ側に配置する。これらの場合は、コ字状の補強部材７よりもより剛性を増すことができる。
【００２８】
また、補強部材７は、ベース部材４の側面部分に一体的に形成してもよい。具体的には、例えば図４に示すようにベース部材４の側板部４ｂ，４ｃを料金精算機５の側面部まで延ばした構成としてもよい。
【００２９】
なお、上記料金精算機の設置構造は、駐車場の料金精算機に適用されるものに限られず、自動販売機または券売機等の料金精算機に適用されてもよい。
【００３０】
【発明の効果】
以上説明したように本発明の料金精算機の設置構造によれば、ベース部材側から料金精算機側へ延ばした補強部材を料金精算機の互いに対面する二対の側面部の少なくとも一方の側面部に固定させることにより料金精算機とベース部材との固定部の剛性を増すことができる。したがって、従来のように料金精算機がベース部材から分離して転倒することがなく、防犯性を高めることができる。
【００３１】
また、補強部材は、従来の料金精算機の上面及び両側面を覆うプロテクタに比べて安価にでき、設置工事も簡単で工事費を低減することができる。
【００３２】
そして、補強部材は、料金精算機の固定面の両端部よりはみ出す形状としたことにより、料金精算機の設置安定性が増し、外力に対して転倒し難くなる。
【図面の簡単な説明】
【図１】本発明による料金精算機の設置構造の実施形態を示す正面図である。
【図２】図１の側面図である。
【図３】図１の要部を拡大して示す断面図である。
【図４】補強部材の別の構成を示す断面図である。
【図５】従来の料金精算機の設置構造を示す要部拡大断面図である。
【符号の説明】
１…基礎部
２…アンカー
４…ベース部材
５…料金精算機
５ｂ…左側面
５ｃ…右側面部
５ｄ…前面
５ｅ…背面
７…補強部材
７ａ…底板部
７ｂ…側板部
１１…固定部
【図１】
2005018455.tif 000003
【図２】
2005018455.tif 000004
【図３】
2005018455.tif 000005
【図４】
2005018455.tif 000006
【図５】
2005018455.tif 000007